(57)【要約】【課題】比較的表面の摩擦が大きいシート状物を１枚ずつ取り出すことができるシート状物収容箱及びシート状物入り収容箱を提供する。【解決手段】シート状物Ｓがポップアップ方式で折り畳まれて積層されたシート状物群を収容するシート状物収容箱１０は、取出口１０ｈが形成された取出口形成板１１を備え、取出口１０ｈは、シート状物収容箱１０にシート状物群が収容されたときに、標準的な成人の拳を取出口１０ｈから内部に入れてシート状物Ｓの端Ｓｅを摘むことができる大きさに形成されると共に、摘み出すシート状物Ｓの幅Ｌｓよりも狭い狭幅部１０ｈｎが形成されている。而して、表層のシート状物Ｓを引き出す際に２枚目のシート状物Ｓが連なって出ようとしても、狭幅部１０ｈｎを通過する際の抵抗で、表層のシート状物Ｓを２枚目から引き離すことができる。シート状物入り収容箱１は、シート状物収容箱１０と、これに収容されたシート状物群とを備える。【選択図】図１
2016041597.tif 000002
【特許請求の範囲】
【請求項１】
シート状物がポップアップ方式で折り畳まれて積層されたシート状物群を収容するシート状物収容箱であって；
前記シート状物が取り出される取出口が形成された取出口形成板を備え；
前記取出口は、前記シート状物収容箱に前記シート状物群が収容されたときに、標準的な成人の拳を前記取出口から前記シート状物収容箱の内部に入れて前記シート状物の端を摘むことができる大きさに形成されると共に、摘み出す前記シート状物の幅よりも狭い狭幅部が形成された；
シート状物収容箱。
【請求項２】
前記取出口は、前記取出口形成板と前記取出口との境界線のうちの、一対の幅境界線と、前記一対の幅境界線に直交する一対の前後境界線とによって、基本形状が矩形に形成されると共に、前記一対の幅境界線の間隔が、前記シート状物収容箱に前記シート状物群が収容されたときに摘み出す前記シート状物の幅に対して、実質的に同じ幅に形成され；
前記狭幅部は、前記幅境界線の中央部に、前記取出口の内部に突出した突起部が形成されることで構成された；
請求項１に記載のシート状物収容箱。
【請求項３】
前記取出口形成板は、前記前後境界線に連接されて前記取出口を覆う開閉可能な蓋部を有する；
請求項２に記載のシート状物収容箱。
【請求項４】
前記蓋部は、前記一対の前後境界線のそれぞれに連接された一対で構成され；
前記一対の蓋部は、それぞれの前記前後境界線に対向する辺である対向辺が波形に形成され、前記一対の蓋部を閉じたときに前記対向辺同士が嵌合するように構成された；
請求項３に記載のシート状物収容箱。
【請求項５】
前記蓋部は、切り取り可能な切り取り線を介して前記前後境界線に連接された；
請求項３又は請求項４に記載のシート状物収容箱。
【請求項６】
前記シート状物収容箱が直方体状に形成され；
前記取出口形成板に直交して前記幅境界線に近接した側面板、又は前記突起部から、前記取出口の内部に突き出たストッパであって、閉じられた前記蓋部を抑えるストッパを備える；
請求項３乃至請求項５のいずれか１項に記載のシート状物収容箱。
【請求項７】
請求項１乃至請求項６のいずれか１項に記載のシート状物収容箱と；
前記シート状物収容箱に収容された前記シート状物群とを備える；
シート状物入り収容箱。
【発明の詳細な説明】
【技術分野】
【０００１】
本発明はシート状物収容箱及びシート状物入り収容箱に関し、特にポップアップ方式で折り畳まれた比較的表面の摩擦が大きいシート状物を１枚ずつ取り出すことができるシート状物収容箱及びシート状物入り収容箱に関する。
【背景技術】
【０００２】
キッチンペーパーは、水分や油の拭き取りや、落とし蓋の代用として、台所回りで広く用いられている。キッチンペーパーは、適宜の間隔でミシン目等の切り取り線が入った長尺を巻いてロール状にしたもの、あるいは、あらかじめ使用に適した大きさに切断したシート（シート状物）を二つ折りにして交互に積層したものを直方体状の箱に収容したものがある。二つ折りシートを積層したものを収納する箱として、収納物を取り出すための取出し口を有する上面部と、上面部と対向する底面部と、相互に対向する一対の側面部と、これら側面部の横方向両端縁から張り出す一対の側面フラップ部と、前記上面部及び底面部の横方向両端縁から張り出す一対の上下フラップ部とを有する収納箱がある（例えば、特許文献１参照。）。
【先行技術文献】
【特許文献】
【０００３】
【特許文献１】特許第４６８０５２５号公報（段落００１３、図６等）
【発明の概要】
【発明が解決しようとする課題】
【０００４】
シート状のキッチンペーパーが収容箱の内部に完全に入っている場合、通常、取出口から指先を入れ、キッチンペーパーを摘み上げる。キッチンペーパーは、一般に、ティッシュペーパーよりも固くて腰があるため、ティッシュペーパーの箱に形成されているような小さな取出口では、指先を入れて届く範囲にあるキッチンペーパー表面の中央を摘むことが難しく、キッチンペーパーの端部を摘むことができるように取出口を広く形成することが好ましい。しかしながら、キッチンペーパーは、一般に、ティッシュペーパーよりも表面の摩擦が大きいので、取出口を広くすると、表層のキッチンペーパーを引き出す際に２枚目のキッチンペーパーが連なって収容箱から出てしまうことがあった。
【０００５】
本発明は上述の課題に鑑み、比較的表面の摩擦が大きいシート状物を１枚ずつ取り出すことができるシート状物収容箱及びシート状物入り収容箱を提供することを目的とする。
【課題を解決するための手段】
【０００６】
上記目的を達成するために、本発明の第１の態様に係るシート状物収容箱は、例えば図１に示すように、シート状物Ｓがポップアップ方式で折り畳まれて積層されたシート状物群Ｓｇ（例えば図２（Ｂ）参照）を収容するシート状物収容箱１０であって；シート状物Ｓが取り出される取出口１０ｈが形成された取出口形成板１１を備え；取出口１０ｈは、シート状物収容箱１０にシート状物群Ｓｇ（例えば図２（Ｂ）参照）が収容されたときに、標準的な成人の拳を取出口１０ｈからシート状物収容箱１０の内部に入れてシート状物Ｓの端Ｓｅを摘むことができる大きさに形成されると共に、摘み出すシート状物Ｓの幅Ｌｓよりも狭い狭幅部１０ｈｎが形成されている。
【０００７】
このように構成すると、シート状物収容箱内にシート状物群が収容されたときに、表層のシート状物を引き出す際に２枚目のシート状物が連なって出ようとしても、狭幅部を通過する際の抵抗によって、表層のシート状物を２枚目のシート状物から引き離すことができる。
【０００８】
また、本発明の第２の態様に係るシート状物収容箱は、例えば図１に示すように、上記本発明の第１の態様に係るシート状物収容箱１０において、取出口１０ｈは、取出口形成板１１と取出口１０ｈとの境界線のうちの、一対の幅境界線１１ｂと、一対の幅境界線１１ｂに直交する一対の前後境界線１１ｃとによって、基本形状が矩形に形成されると共に、一対の幅境界線１１ｂの間隔Ｄｂが、シート状物収容箱１０にシート状物群Ｓｇ（例えば図２（Ｂ）参照）が収容されたときに摘み出すシート状物Ｓの幅Ｌｓに対して、実質的に同じ幅に形成され；狭幅部１０ｈｎは、幅境界線１１ｂの中央部に、取出口１０ｈの内部に突出した突起部１１ｐが形成されることで構成されている。ここで、矩形は、四つの内角がすべて直角の四辺形であり、正方形、又は長辺及び短辺を有する長方形である。
【０００９】
このように構成すると、シート状物収容箱内にシート状物群が収容されてシート状物を引き出したときに、抵抗が小さく引き出しやすくなる。
【００１０】
また、本発明の第３の態様に係るシート状物収容箱は、例えば図１に示すように、上記本発明の第２の態様に係るシート状物収容箱１０において、取出口形成板１１は、前後境界線１１ｃに連接されて取出口１０ｈを覆う開閉可能な蓋部１１ｆを有する。
【００１１】
このように構成すると、蓋部を閉じることで、シート状物収容箱内に異物が侵入することを防ぐことができる。
【００１２】
また、本発明の第４の態様に係るシート状物収容箱は、例えば図１に示すように、上記本発明の第３の態様に係るシート状物収容箱１０において、蓋部１１ｆは、一対の前後境界線１１ｃのそれぞれに連接された一対で構成され；一対の蓋部１１ｆは、それぞれの前後境界線１１ｃに対向する辺である対向辺１１ａが波形に形成され、一対の蓋部１１ｆを閉じたときに対向辺１１ａ同士が嵌合するように構成されている。
【００１３】
このように構成すると、シート状物収容箱内にシート状物群が収容されてシート状物が引き出されたときに、ポップアップしたシート状物を一対の対向辺に引っ掛けさせてシート状物がシート状物収容内に落ちることを抑制することができる。
【００１４】
また、本発明の第５の態様に係るシート状物収容箱は、例えば図１に示すように、上記本発明の第３の態様又は第４の態様に係るシート状物収容箱１０において、蓋部１１ｆは、切り取り可能な切り取り線Ｃｃを介して前後境界線１１ｃに連接されている。
【００１５】
このように構成すると、蓋部が不要な場合に蓋部を簡便に除去することができる。
【００１６】
また、本発明の第６の態様に係るシート状物収容箱は、例えば図１及び図４に示すように、上記本発明の第３の態様乃至第５の態様のいずれか１つの態様に係るシート状物収容箱１０において、シート状物収容箱１０が直方体状に形成され；取出口形成板１１に直交して幅境界線１１ｂに近接した側面板１５、又は突起部１１ｐから、取出口１０ｈの内部に突き出たストッパ１１ｓ、１５ｓ（図４参照）であって、閉じられた蓋部１１ｆを抑えるストッパ１１ｓ、１５ｓを備える。
【００１７】
このように構成すると、閉じた蓋部が半開きになることを防ぐことができる。
【００１８】
また、本発明の第７の態様に係るシート状物入り収容箱は、例えば図１に示すように、上記本発明の第１の態様乃至第６の態様のいずれか１つの態様に係るシート状物収容箱１０と；シート状物収容箱１０に収容されたシート状物群Ｓｇ（例えば図２（Ｂ）参照）とを備える。
【００１９】
このように構成すると、表層のシート状物を引き出す際に２枚目のシート状物が連なって出ようとしても、狭幅部を通過する際の抵抗によって、表層のシート状物を２枚目のシート状物から引き離すことができる。
【発明の効果】
【００２０】
本発明によれば、シート状物収容箱内にシート状物群が収容されたときに、表層のシート状物を引き出す際に２枚目のシート状物が連なって出ようとしても、狭幅部を通過する際の抵抗によって、表層のシート状物を２枚目のシート状物から引き離すことができる。
【図面の簡単な説明】
【００２１】
【図１】（Ａ）は本発明の実施の形態に係る収容箱の斜視図、（Ｂ）は本発明の実施の形態に係るペーパー入り収容箱の平面図である。
【図２】本発明の実施の形態に係る収容箱に収容されるペーパーを説明する図であり、（Ａ）は１枚のペーパーの斜視図、（Ｂ）は積層されたペーパーの側面図である。
【図３】本発明の実施の形態に係る収容箱の展開図である。
【図４】（Ａ）は本発明の実施の形態の変形例に係る収容箱の部分斜視図、（Ｂ）は本発明の実施の形態の変形例に係る収容箱の部分断面図である。
【発明を実施するための形態】
【００２２】
以下、図面を参照して本発明の実施の形態について説明する。なお、各図において互いに同一又は相当する部材には同一あるいは類似の符号を付し、重複した説明は省略する。
【００２３】
まず図１を参照して、本発明の実施の形態に係るシート状物収容箱としての収容箱１０、及び本発明の実施の形態に係るシート状物入り収容箱としてのペーパー入り収容箱１を説明する。図１（Ａ）は、収容箱１０の斜視図、（Ｂ）は、ペーパー入り収容箱１の平面図である。なお、説明の便宜上、図１（Ｂ）は蓋部としてのフラップ１１ｆを開けた状態を表している。ペーパー入り収容箱１は、収容箱１０の中に、シート状物としてのキッチンペーパー（以下、単に「ペーパー」という。）Ｓを収容したものである。
【００２４】
図２に、収容箱１０に収容されるペーパーＳを示す。図２（Ａ）は１枚のペーパーＳの斜視図、図２（Ｂ）は積層されたペーパーＳの側面図である。ペーパーＳは、本実施の形態では、天然パルプを使用した不織布タイプのものであり、エアレイド法でウェブを形成し、スプレーを用いたケミカルボンド法でウェブの繊維を結合している。なお、ウェブは、繊維を積層してシート状に広げたものである。エアレイド法は、解繊したパルプ、短繊維、又はこれらの混合物をローターにて攪拌し、スクリーン開孔から吐出してウェブを形成する手法である。スプレーを用いたケミカルボンド法は、ウェブにバインダー（接着剤）をスプレーし、乾燥させて繊維を結合する手法である。また、本実施の形態のペーパーＳは、ウェブの繊維を結合した後、エンボスロールでエンボスが付けられている。ペーパーＳは、ティッシュペーパーに比べて、厚みがあり、表面が粗く形成されている。ペーパーＳは、表面の毛羽立ちやエンボス等によって、表面の摩擦が比較的大きくなっている。ここでいう摩擦が比較的大きいとは、表面が滑らかな水平な面の上に、２枚のペーパーＳを重ねて置き、上のペーパーＳを水平に動かしたときに下のペーパーＳが連なって動く程度の摩擦である。
【００２５】
上述のように形成されたペーパーＳは、矩形に形成されている。ペーパーＳは、対向する一対の側辺Ｓｓの中点同士を結ぶ折り線Ｓｃで２つ折りにされている。ペーパーＳの幅であるペーパー幅Ｌｓは、折り線Ｓｃの長さに等しい。つまり、２つ折りのペーパーＳは、幅が変わらないように、奥行き方向が半分になるように折り線Ｓｃが設けられている。ペーパーＳについて、説明の便宜上、折り線Ｓｃを境にして一方を半面Ｓａといい、他方を残面Ｓｂということとする。ペーパーＳは、ある１つのペーパーＳ１の半面Ｓａと残面Ｓｂとで別のペーパーＳ２の半面Ｓａを挟み、当該別のペーパーＳ２の半面Ｓａと残面Ｓｂとで、上述のある１つのペーパーＳ１の残面Ｓｂと、さらに別のペーパーＳ３の半面Ｓａとを挟むように、交互に半分の面ずつ挟むようにして積層されたペーパー群Ｓｇとして、収容箱１０に収容されている。このとき、ペーパー群Ｓｇの周囲に若干の隙間が生じるように、収容箱１０の大きさが決められている。また、ペーパー群Ｓｇは、最も上にあるペーパーＳ１の端Ｓｅが、２枚目のペーパーＳ２の折り線Ｓｃに重ならず、２枚目のペーパーＳ２の折り線Ｓｃよりもやや内側の半面Ｓａ上に位置するようになっている（図１（Ｂ）も参照）。このようにペーパーＳが積層されて構成されたペーパー群Ｓｇは、最も上にあるペーパーＳ１の半面Ｓａを摘んで引き上げると、ペーパーＳ１が２枚目のペーパーＳ２から分離したときに、２枚目のペーパーＳ２の半面Ｓａが飛び出た状態となり得る。このようにペーパーＳを折り畳む方式を、ポップアップ方式という。
【００２６】
再び図１に戻り、収容箱１０の構成を説明する。収容箱１０は、基本形状が直方体に形成されている。収容箱１０は、取出口形成板としての天板１１と、前板１２と、底板１３と、後板１４と、側面板としての一対の側板１５とを備えている。天板１１は、本実施の形態では、半面Ｓａ（図２（Ａ）参照）よりも一回り大きい長方形に形成されている。底板１３は、天板１１に対向しており、天板１１と同じ大きさに形成されている。前板１２は、天板１１及び底板１３に直交している。後板１４は、前板１２に対向していると共に、天板１１及び底板１３に直交している。一対の側板１５は、それぞれ、天板１１、前板１２、底板１３、後板１４に直交している。
【００２７】
天板１１は、蓋部としてのフラップ１１ｆを有している。天板１１は、フラップ１１ｆを開けることによって、取出口１０ｈが現れるように構成されている。取出口１０ｈは、図１（Ｂ）に示すように、基本形状が長方形に形成されている。基本形状が長方形とは、細部に目を凝らせば長方形とはいえないかもしれないが、全体として長方形と認識できる形状を含む意味、換言すれば、全体として見れば長方形であるが、細部には突起や面取り部が存在することを許容する意味である。図１（Ｂ）では、説明の便宜上、フラップ１１ｆを省略している。取出口１０ｈは、その外周全体に天板１１の部分が残るように、天板１１の外縁の内側に形成されている。取出口１０ｈは、対向する一対の幅境界線１１ｂと、対向する一対の前後境界線１１ｃとが相互に直交して、全体の輪郭を形成している。幅境界線１１ｂと前後境界線１１ｃとが出会う角部は、四分円状に形成されている。収容箱１０に収容されたペーパー群Ｓｇは、折り線Ｓｃが延びる方向が、前後境界線１１ｃが延びる方向と同じになっている。
【００２８】
一対の幅境界線１１ｂの間隔（以下、「幅間隔Ｄｂ」という。）は、ペーパー幅Ｌｓと実質的に同じとなっている。ここでいう幅間隔Ｄｂがペーパー幅Ｌｓと実質的に同じとは、幅間隔Ｄｂのペーパー幅Ｌｓに対する差が、±３％の範囲にあることとする。また、各幅境界線１１ｂの中央部分には、相互に近づく方向に突出した突起部１１ｐが形成されている。各突起部１１ｐは、天板１１と同一面上において、取出口１０ｈの内側に向かって弧状に突出している。幅間隔Ｄｂは、突起部１１ｐが存在する部分については、ペーパー幅Ｌｓよりも狭くなっている。この、突起部１１ｐが形成されている部分の取出口１０ｈの幅を、狭幅部１０ｈｎということとする。狭幅部１０ｈｎの間隔は、ペーパー幅Ｌｓの９０％〜９７％とするのが好ましく、本実施の形態ではペーパー幅Ｌｓの９５％としている。
【００２９】
一対の前後境界線１１ｃの間隔は、ペーパー群Ｓｇの対向する折り線Ｓｃの間隔よりも短く形成されている。本実施の形態では、ペーパー群Ｓｇの最も上にあるペーパーＳの、折り線Ｓｃが取出口１０ｈから見えず、端Ｓｅが取出口１０ｈから見えるように、一対の前後境界線１１ｃの間隔が決められている。また、本実施の形態では、幅境界線１１ｂの長さが、前後境界線１１ｃの長さよりも短くなっている。上述のように形成された取出口１０ｈは、少なくとも標準的な成人の拳を出し入れすることができる大きさに形成されており、本実施の形態では約２２０ｍｍ×１２０ｍｍの大きさに形成されている。ここで説明している「拳を出し入れすることができる大きさ」の拳は、単に取出口１０ｈの大きさの基準として用いているものであり、必ずしも実際に拳を出し入れすることを求めるものではない。すなわち、取出口１０ｈから手を収容箱１０の内部に入れて、ペーパーＳを摘むことができる大きさを定めるものである。
【００３０】
フラップ１１ｆは、各前後境界線１１ｃに連接した一対で構成されている。フラップ１１ｆは、開封前は、天板１１と一体に形成されている。開封前の一対のフラップ１１ｆは、対向辺１１ａで接続されている。対向辺１１ａは、前後境界線１１ｃに対向するフラップ１１ｆの辺である。対向辺１１ａは、本実施の形態では、波形に形成されている。本実施の形態における対向辺１１ａの波形は、一方から見たときに、１つの山と、この山を挟む２つの谷（他方から見たときに２つの山と１つの谷）が表れるように形成されている。本実施の形態では、対向辺１１ａの波形の山の頂と谷の底との距離が、概ね１０ｍｍに形成されている。
【００３１】
収容箱１０は、開封前の天板１１を、対向辺１１ａ及び幅境界線１１ｂで切断し、前後境界線１１ｃに沿って折り曲げることで、フラップ１１ｆが形成されるように構成されている。つまり、対向辺１１ａ、一対の幅境界線１１ｂ、前後境界線１１ｃで囲まれる天板１１の部分がフラップ１１ｆとなる。フラップ１１ｆは、前後境界線１１ｃを軸として、開閉することができるように構成されている。収容箱１０は、フラップ１１ｆを開けることで、収容されているペーパーＳが取り出される取出口１０ｈが形成されるように構成されている。本実施の形態では、上述のように、各前後境界線１１ｃに連接した一対のフラップ１１ｆが形成されている。このような構成により、フラップ１１ｆを開けたときの高さを抑制しつつ、取出口１０ｈを大きくすることができる。取出口１０ｈを大きく形成することにより、収容箱１０の中に手を入れて、収容されているペーパーＳを取り出すことが容易になる。収容箱１０は、概ね０．４５〜０．７０ｍｍ厚の板紙（典型的にはコートボール紙）が加工されて形成されている。このため、収容箱１０は、弾性を有している。収容箱１０は、典型的には、１枚の板紙を切り出して組み立てられて一体に形成されている。
【００３２】
図３に、収容箱１０の展開図を示す。図３に示すように、幅境界線１１ｂが延びる方向（以下「短辺方向Ｄｓ」という。）に、後板１４、天板１１、前板１２、底板１３が、この順で連接している。一対の側板１５は、天板１１に対して、前後境界線１１ｃが延びる方向（以下「長辺方向Ｄｔ」という。）の両端にそれぞれ連接されている。後板１４には、長辺方向Ｄｔの両端に、後板重ね代１４ｃが連接されている。前板１２には、長辺方向Ｄｔの両端に、前板重ね代１２ｃが連接されている。底板１３には、長辺方向Ｄｔの両端に、底板重ね代１３ｃが連接されている。また、底板１３には、前板１２が連接している辺に対向する辺に、後板１４に重なる接続片１３ｄが連接されている。収容箱１０は、組み立てられる前の展開された状態においては、対向辺１１ａ及び幅境界線１１ｂが、典型的にはミシン目で形成されており、全体としては切断されていない。ここで、ミシン目は、点線状に切断された線である。
【００３３】
図３に示す展開された状態から図１（Ａ）に示す収容箱１０に組み立てられる際、後板１４、天板１１、前板１２、底板１３、接続片１３ｄは、長辺方向Ｄｔに延びる境界線で折り曲げられ、接続片１３ｄが後板１４の裏面（収容箱１０の内側となる面）に接着されることで、角筒状となる。また、側板１５、後板重ね代１４ｃ、前板重ね代１２ｃ、底板重ね代１３ｃは、短辺方向Ｄｓに延びる境界線で折り曲げられる。前板重ね代１２ｃ及び後板重ね代１４ｃは、それぞれ前板１２及び後板１４に対して折り曲げられたときに、相互に干渉しない大きさに形成されている。また、底板重ね代１３ｃは、底板１３に対して折り曲げられたときに、前板重ね代１２ｃ及び後板重ね代１４ｃの両方に重なる大きさに形成されている。角筒状の両端は、まず前板重ね代１２ｃ及び後板重ね代１４ｃが折り曲げられ、その上に折り曲げられた底板重ね代１３ｃが重ねられ、さらにその上に側板１５が重ねられる。側板１５と底板重ね代１３ｃとは、接着剤等で接着される。
【００３４】
図３の展開図に示すように、底板重ね代１３ｃには、分離切込１３ｃｃが形成されている。分離切込１３ｃｃは、収容箱１０の内部に収容されたペーパーＳを使い切ったときに、収容箱１０の解体を助けるものである。分離切込１３ｃｃは、ミシン目で形成されている。分離切込１３ｃｃは、底板重ね代１３ｃの、底板１３との境界線の両端から延びる両辺の途中から、短辺方向Ｄｓで相互に近づきつつ長辺方向Ｄｔで底板１３に近づくように延び、底板１３に進入してまもなく出会うように形成され、全体として曲部が１カ所の折れ線状に形成されている。底板重ね代１３ｃは、分離切込１３ｃｃの内側のみが側板１５の裏面に接着されることで、分離切込１３ｃｃを切り離したときに側板１５を底板１３から分離させることができるように構成されている。
【００３５】
また、底板１３には、突片１３ｐを形成可能な突片形成切込としての突片切込１３ｐｃが形成されている。突片１３ｐは、収容箱１０内に収容されているペーパーＳが少なくなって、ポップアップしたペーパーＳが収容箱１０の内部に落ちてしまうようなときに、収容箱１０に収容されているペーパーＳを取出口１０ｈに近づけるように持ち上げる部材である。突片切込１３ｐｃは、概ねＵ字状に形成されている。突片切込１３ｐｃは、典型的にはミシン目で形成されている。概ねＵ字状に形成された突片切込１３ｐｃの両端の間には、両端を結ぶ直線状の突片折線１３ｐｂが形成されている。突片折線１３ｐｂは、突片切込１３ｐｃで囲われた部分の折り曲げを容易にするために、本実施の形態では罫線となっている。突片切込１３ｐｃ及び突片折線１３ｐｂは、本実施の形態では、底板１３の図心付近に２つ形成されている。２つの突片折線１３ｐｂは、短辺方向Ｄｓに平行に延び、長辺方向Ｄｔで底板１３の図心を挟むように形成されている。各突片折線１３ｐｂから延びる突片切込１３ｐｃは、底板１３の図心とは反対側に突き出るように形成されている。突片折線１３ｐｂに直交する方向の、突片折線１３ｐｂから突片切込１３ｐｃの先端までの距離が、突片１３ｐを形成したときに収容箱１０内のペーパーＳを持ち上げることができる高さとなる。
【００３６】
引き続き図１乃至図３を参照して、ペーパー入り収容箱１の作用を説明する。収容箱１０の作用は、ペーパー入り収容箱１の作用の一環として説明する。未開封のペーパー入り収容箱１は、収容箱１０の対向辺１１ａ及び幅境界線１１ｂが、切断されておらずにミシン目を介して接続されている。消費者の手に渡ったペーパー入り収容箱１の、ペーパーＳを初めて使用する際は、対向辺１１ａ及び幅境界線１１ｂを、ミシン目を破断することで完全に切断する。そのうえで、前後境界線１１ｃでフラップ１１ｆを外側に向けて折り曲げる。フラップ１１ｆを折り曲げることで、取出口１０ｈが形成される。本実施の形態では、フラップ１１ｆが、対向辺１１ａから両側に開くように構成されているので、取出口１０ｈを比較的大きく形成することができる。
【００３７】
フラップ１１ｆを開けたら、ペーパーＳを収容箱１０から取り出す。このとき、取出口１０ｈが比較的大きく形成されているので、取出口１０ｈから収容箱１０の中に手を入れてペーパーＳの端Ｓｅを摘むことが容易になる。収容箱１０に収容されているペーパーＳを取り出すとき、取出口１０ｈに一番近いペーパーＳ１の半面Ｓａの端Ｓｅを摘んで取出口１０ｈから引き出す。すると、天板１１と同一面にある取出口１０ｈを通過する側辺Ｓｓの位置は、端Ｓｅがあった方に近い前後境界線１１ｃ側から、幅境界線１１ｂに沿って、他方の前後境界線１１ｃ（ペーパーＳ１の折り線Ｓｃに近い前後境界線１１ｃ）側に移動していく。このとき、取出口１０ｈの幅間隔Ｄｂが、狭幅部１０ｈｎを除き、ペーパー幅Ｌｓと実質的に同じに形成されているので、ペーパーＳ１を引き出す際の抵抗がほとんどなく、引き出しやすい。反面、ペーパーＳは、表面が比較的粗いので、１枚目のペーパーＳ１と面で接している２枚目のペーパーＳ２が、摩擦抵抗によってペーパーＳ１から分離せずに、ペーパーＳ１に連なって取出口１０ｈから出てしまうことが生じ得る。本実施の形態に係る収容箱１０では、一対の突起部１１ｐに挟まれた狭幅部１０ｈｎが形成されているので、引き上げられているペーパーＳ１の側辺Ｓｓが突起部１１ｐに至ると、ペーパーＳの引き出しを妨げる摩擦力が働く。しかし、ペーパーＳ１は、端Ｓｅが摘まれて引き上げられているので、突起部１１ｐによる摩擦力に逆らって引き上げられる。他方、２枚目のペーパーＳ２は、突起部１１ｐによる摩擦力で、ペーパー群Ｓｇの方にとどまろうとする。このことで、１枚目のペーパーＳ１と２枚目のペーパーＳ２とは、相互に反対方向の力が働き、接触面積が徐々に小さくなる。ついには、相互のペーパーＳ１、Ｓ２間の面での接触がなくなり、ペーパーＳ１は、ペーパーＳ２から分離して、１枚だけが収容箱１０から引き出される。なお、ペーパーＳ１がペーパーＳ２から分離する前に、ペーパーＳ１の側辺Ｓｓが突起部１１ｐを越えることがあるが、突起部１１ｐを越える際に、相互のペーパーＳ１、Ｓ２間の接触面積が小さくなり、両ペーパーＳ１、Ｓ２間に働く摩擦力が小さくなっているため、引き出されるペーパーＳ１に２枚目のペーパーＳ２が連ならず、両者は分離される。ペーパーＳ１が引き出されると、引き出されたペーパーＳ１に挟まれていたペーパーＳ２の半面Ｓａの一部が取出口１０ｈから露出する。
【００３８】
一部が取出口１０ｈから露出したペーパーＳは、一対のフラップ１１ｆに挟まれる。これにより、取出口１０ｈから露出したペーパーＳが、収容箱１０の中に落ちてしまうことを抑制することができる。取出口１０ｈから露出したペーパーＳを、一対のフラップ１１ｆで挟むことができるのは、開かれたフラップ１１ｆが弾性によって閉じた状態に戻ろうとするものの、前後境界線１１ｃで一度折り目がつけられたために完全には閉じた状態とならず、両者が接近した半開きの状態で止まるためである。また、本実施の形態では、対向辺１１ａが波形に形成されているため、一対のフラップ１１ｆが半開きの状態でも、露出したペーパーＳが対向辺１１ａの波形に沿って湾曲し、複数のポイントで一対のフラップ１１ｆに接触することとなって、ペーパーＳが収容箱１０の中に落ちてしまうことを抑制することができる。ペーパーＳが取出口１０ｈから露出した状態を維持することで、次にペーパーＳを使用する際に、収容箱１０の中に手を入れなくてもペーパーＳを摘むことができて便利である。
【００３９】
ペーパーＳをしばらく使用しないことが予想される場合は、一対のフラップ１１ｆに挟まれて一部が露出しているペーパーＳを収容箱１０の中に収容し、フラップ１１ｆを閉じることで、ペーパーＳの水濡れ、あるいは収容箱１０内への埃や水滴等の異物の侵入を防ぐことができる。このとき、一旦閉じたフラップ１１ｆが、弾性によって少し開いた状態となる場合が生じ得る。このような状態を解消するには、閉じたフラップ１１ｆが弾性で開かないようにするストッパがあると便利である。そこで、例えば以下のようなストッパを設けることとしてもよい。
【００４０】
図４（Ａ）は、変形例に係る収容箱１０Ａの部分斜視図、図４（Ｂ）は、変形例に係る収容箱１０Ａの部分断面図である。図４（Ｂ）は、突起部１１ｐを通り、前板１２に平行な面で切断した断面を表している。変形例に係る収容箱１０Ａは、これまで説明してきた収容箱１０に対してストッパ１１ｓ又はストッパ１５ｓを設けた場合の例を示すものである。図４（Ａ）は、ストッパ１１ｓ、１５ｓを形成する前の状態を示し、図４（Ｂ）は、ストッパ１１ｓ、１５ｓを形成した状態を示している。
【００４１】
まず、ストッパ１１ｓについて説明する。ストッパ１１ｓは、突起部１１ｐ付近の天板１１に設けられている。ストッパ１１ｓを形成するには、図４（Ａ）に示すように、突起部１１ｐ付近の天板１１の部分に矩形を罫書き、最も取出口１０ｈに近い辺を折線１１ｓｂとして残し、残りの３つの辺を切線１１ｓｃとして切断する。切線１１ｓｃは、あらかじめミシン目等で形成しておき、簡便に破断できるようにしておくとよい。切線１１ｓｃを切断したら、切線１１ｓｃ及び折線１１ｓｂで囲まれた部分を、折線１１ｓｂを軸に回転させるようにして、収容箱１０Ａの内部に折り返す。これにより、図４（Ｂ）に示すような、先端部が幅境界線１１ｂよりも取出口１０ｈ側に突き出たストッパ１１ｓが形成される。なお、切線１１ｓｃは、相互に直交する３つの直線からなる形状以外に、弧状等の曲線状であってもよい。つまり、ストッパ１１ｓは、矩形以外の形状であってもよい。
【００４２】
次に、ストッパ１５ｓについて説明する。ストッパ１５ｓは、側板１５の上部中央に設けられている。ストッパ１５ｓを形成するには、図４（Ａ）に示すように、側板１５の上部中央に矩形を罫書き、最も天板１１に近い辺を折線１５ｓｂとして残し、残りの３つの辺を切線１５ｓｃとして切断する。切線１５ｓｃは、あらかじめミシン目等で形成しておき、簡便に破断できるようにしておくとよい。切線１５ｓｃを切断したら、切線１５ｓｃ及び折線１５ｓｂで囲まれた部分を、折線１５ｓｂを軸に回転させるようにして、収容箱１０Ａの内部に折り返す。これにより、図４（Ｂ）に示すような、先端部が幅境界線１１ｂよりも取出口１０ｈ側に突き出たストッパ１５ｓが形成される。なお、ストッパ１５ｓが回転する際の軌跡上に存在する底板重ね代１３ｃは、あらかじめ切り欠いておくとよい。また、切線１５ｓｃは、相互に直交する３つの直線からなる形状以外に、弧状等の曲線状であってもよい。つまり、ストッパ１５ｓは、矩形以外の形状であってもよい。
【００４３】
図４では、説明の便宜上、収容箱１０Ａに、ストッパ１１ｓ及びストッパ１５ｓの両方が設けられているように示されているが、ストッパ１１ｓ及びストッパ１５ｓの一方が設けられていればよい。閉じたフラップ１１ｆを、ストッパ１１ｓ又はストッパ１５ｓよりも収容箱１０Ａの内側に入れると、開こうとするフラップ１１ｆを抑えることができる。ストッパ１１ｓ又はストッパ１５ｓは、一対のフラップ１１ｆの両方とも抑えることができる。なお、ストッパ１５ｓを設ける場合、側板１５の上部中央に代えて、側板１５の上部の左右に１つずつ設け、各ストッパ１５ｓが一対のフラップ１１ｆをそれぞれ１枚ずつ抑える構成としてもよい。ストッパ１５ｓを側板１５の上部の左右に１つずつ設ける場合、ストッパ１５ｓが回転する際の軌跡上に存在する底板重ね代１３ｃに加え、ストッパ１５ｓが回転する際の軌跡上に存在する前板重ね代１２ｃ及び後板重ね代１４ｃもあらかじめ切り欠いておくとよい。
【００４４】
再び図１乃至図３を参照して、ペーパー入り収容箱１の作用の説明を続ける。ペーパーＳを使用していき、収容箱１０内のペーパーＳが少なくなると、一部が取出口１０ｈから露出したペーパーＳを一対のフラップ１１ｆで適切に挟むことが難しくなる場合がある。この場合、底板１３の突片切込１３ｐｃを、ミシン目を破断することで切断する。そして、突片切込１３ｐｃで囲まれた部分を、突片折線１３ｐｂで収容箱１０の内側に向けて折り曲げる。これにより、収容箱１０の内部に突き出る突片１３ｐが形成されることとなる。突片１３ｐが形成されると、収容箱１０内のペーパー群Ｓｇが、突片１３ｐによって取出口１０ｈに近づけられる。すると、一部が取出口１０ｈから露出したペーパーＳの残面Ｓｂが取出口１０ｈに近づくこととなり、取出口１０ｈから露出したペーパーＳが収容箱１０の中に落ちてしまうことを抑制することができる。
【００４５】
収容箱１０に収容されているペーパーＳを使い切ったら、底板重ね代１３ｃ及び底板１３に形成されている分離切込１３ｃｃを、ミシン目を破断して切断することで、簡単に収容箱１０を扁平に畳むことができる。分離切込１３ｃｃを切断する際、本実施の形態では、底板重ね代１３ｃに形成されている分離切込１３ｃｃが側板１５の下にあって見えないので、まず、底板１３に表れている部分の分離切込１３ｃｃを切断するとよい。底板１３部分の分離切込１３ｃｃを切断したら、その部分から収容箱１０の内部に親指を入れ、残りの４本の指を側板１５に添える。次に、手で挟んだ側板１５及び底板重ね代１３ｃを、天板１１と側板１５との交線を中心にして外側に開く。すると、底板重ね代１３ｃに形成されている分離切込１３ｃｃのミシン目が破断し、側板１５が底板１３から分離する。側板１５と底板１３が分離すると、前板重ね代１２ｃ及び後板重ね代１４ｃがいずれの部分にも接着されていないため、収容箱１０は両端が開口した角筒状となる。角筒状となったら、例えば、底板１３及び後板１４の面に前板１２及び天板１１の面が接触するように畳むことで、収容箱１０を扁平にすることができる。収容箱１０を扁平に畳むことで、廃棄時の嵩張りを抑制することができる。
【００４６】
以上で説明したように、本実施の形態に係る収容箱１０によれば、幅間隔Ｄｂが、狭幅部１０ｈｎを除き、ペーパー幅Ｌｓと実質的に同じとなっているので、収容箱１０からペーパーＳを円滑に引き出すことができる。また、取出口１０ｈに狭幅部１０ｈｎが形成されているので、表面が比較的粗いペーパーＳをポップアップ方式で折り畳んでいても、表層のペーパーＳ１を引き出すのに連なって２枚目のペーパーＳ２も引き出されてしまうことを防ぐことができる。また、底板１３に突片切込１３ｐｃが形成されているので、収容箱１０内のペーパーＳが残り少なくなったときに突片１３ｐを収容箱１０の内部に突出させることができ、ペーパーＳを嵩上げして、取出口１０ｈから露出したペーパーＳが収容箱１０の中に落ちてしまうことを抑制することができる。また、主に底板重ね代１３ｃに分離切込１３ｃｃが形成されているので、ペーパーＳを使い切ったときに、簡単に収容箱１０を扁平に畳むことができ、廃棄時の嵩張りを抑制することができる。
【００４７】
以上の説明では、ペーパーＳが、天然パルプを主原料としてエアレイド法及びスプレーを用いたケミカルボンド法で製造されることとしたが、これら以外の方法で製造されることとしてもよい。また、ペーパーＳにはエンボスが付けられていることとしたが、エンボスが付けられていなくてもよい。
【００４８】
以上の説明では、幅間隔Ｄｂが、狭幅部１０ｈｎを除き、ペーパー幅Ｌｓと実質的に同じであるとしたが、幅間隔Ｄｂが、ペーパー幅Ｌｓに対して、３％を超えて大きく又は小さくて形成されていてもよい。幅間隔Ｄｂが、幅境界線１１ｂのどの位置でもペーパー幅Ｌｓよりも狭い場合、幅境界線１１ｂの全体にわたって狭幅部１０ｈｎが形成されることとなる。この場合、ペーパーＳの引き出しやすさは犠牲となるが、表層のペーパーＳ１を２枚目のペーパーＳ２から確実に分離させることができる。また、以上の説明では、幅境界線１１ｂの長さが、前後境界線１１ｃの長さよりも短いこととしたが、前後境界線１１ｃの長さよりも長くてもよく、前後境界線１１ｃの長さと同じ長さでもよい。幅境界線１１ｂの長さと前後境界線１１ｃの長さとが同じ場合、取出口１０ｈは基本形状が正方形となる。
【００４９】
以上の説明では、フラップ１１ｆが、各前後境界線１１ｃに連接した一対で構成されているとしたが、一方の前後境界線１１ｃに連接した１枚で構成されていてもよい。また、以上の説明では、フラップ１１ｆが、前後境界線１１ｃを軸として開閉することができる構成であるとしたが、フラップ１１ｆと天板１１との連接部分が切り取り可能な切り取り線Ｃｃを介して連接されることとし、フラップ１１ｆが不要な場合はフラップ１１ｆを簡便に除去することができる構成としてもよい。フラップ１１ｆを除去すると、ペーパーＳを引き出す際にフラップ１１ｆに阻害されることがない。他方、フラップ１１ｆを除去せず、ペーパーＳを使用しないときにフラップ１１ｆを閉じておくこととすると、収容箱１０内への異物の侵入を防ぐことができる。
【００５０】
以上の説明では、シート状物が、キッチンペーパーであるとしたが、キッチンペーパー以外の衛生用紙や、ウエス等の工業用のシートであってもよい。本実施の形態に係る収容箱１０は、ポップアップ方式に折り畳まれて１枚目が引き出されたときに２枚目が連なって出ようとする特性を持つシート状の物に適用すると、好適である。
【符号の説明】
【００５１】
１    ペーパー入り収容箱
１０  収容箱
１０ｈ  取出口
１０ｈｎ  狭幅部
１１  天板
１１ａ  対向辺
１１ｂ  幅境界線
１１ｃ  前後境界線
１１ｆ  フラップ
１１ｐ  突起部
１１ｓ  ストッパ
１５  側面板
１５ｓ  ストッパ
Ｃｃ  切り取り線
Ｄｂ  幅間隔
Ｌｓ  ペーパー幅
Ｓ    ペーパー
Ｓｅ  端
Ｓｇ  ペーパー群
【図１】
2016041597.tif 000003
【図２】
2016041597.tif 000004
【図３】
2016041597.tif 000005
【図４】
2016041597.tif 000006